(57)【要約】【課題】記録メディアのレーベル面に画像を描画するとともに、描画した画像を書き換えることができる画像描画装置、画像描画プログラム、および画像描画方法を提供する。【解決手段】光の照射を受けて、照射量に応じた濃度変化が色に生じる、その濃度変化で画像が描かれる描画面を有するメディアについて、画像が描かれた描画面上の各箇所における濃度を入手する濃度入手部と、描画面に新たに描かれる画像を入手する画像入手部と、描画面の各箇所に、濃度入手部によって入手された各箇所の濃度から所定の共通濃度への濃度変化を生じさせる照射量の光を照射する第１の照射部と、描画面の各箇所に、画像入手部で入手された画像上の各点での画像濃度に応じた濃度変化を生じさせる照射量の光を、第１の照射部による照射と併せてあるいは個別に照射することで画像を描く第２の照射部とを備えた。【選択図】        図８
2007317301.tif 000002
【特許請求の範囲】
【請求項１】
光の照射を受けて、照射量に応じた濃度変化が色に生じる、その濃度変化で画像が描かれる描画面を有するメディアについて、画像が描かれた描画面上の各箇所における濃度を入手する濃度入手部と、
前記描画面に新たに描かれる画像を入手する画像入手部と、
前記描画面の各箇所に、前記濃度入手部によって入手された各箇所の濃度から所定の共通濃度への濃度変化を生じさせる照射量の光を照射する第１の照射部と、
前記描画面の各箇所に、前記画像入手部で入手された画像上の各点での画像濃度に応じた濃度変化を生じさせる照射量の光を、前記第１の照射部による照射と併せてあるいは個別に照射することで画像を描く第２の照射部とを備えたことを特徴とする画像描画装置。
【請求項２】
前記濃度入手部は、前記描画面上の各箇所における濃度を入手するにあたり、各箇所について個別に濃度を表した個別データを入手するものであることを特徴とする請求項１記載の画像描画装置。
【請求項３】
前記濃度入手部は、前記描画面上の各箇所における濃度を入手するにあたり、複数箇所の濃度をまとめて表した統合データを入手するものであることを特徴とする請求項１記載の画像描画装置。
【請求項４】
前記第２の照射部により画像が描画された描画面上の各箇所における濃度を所定の保存場所に保存する濃度保存部を備え、
前記濃度入手部は、前記保存場所から前記濃度を取得するものであることを特徴とする請求項１記載の画像描画装置。
【請求項５】
前記濃度保存部は、前記メディアに濃度を保存するものであることを特徴とする請求項４記載の画像描画装置。
【請求項６】
前記濃度保存部は、濃度を圧縮データで保存するものであることを特徴とする請求項４記載の画像描画装置。
【請求項７】
前記第２の照射部は、前記描画面において表現可能な濃度変化が複数段階に区分された１段階分の濃度変化内で１回分の画像描画を実行するものであることを特徴とする請求項１記載の画像描画装置。
【請求項８】
コンピュータ内で実行され、該コンピュータ上に、光の照射を受けて、照射量に応じた濃度変化が色に生じる、その濃度変化で画像が描かれる描画面を有するメディアについて、画像が描かれた描画面上の各箇所における濃度を入手する濃度入手部と、
前記描画面に新たに描かれる画像を入手する画像入手部と、
前記描画面の各箇所に、前記濃度入手部によって入手された各箇所の濃度から所定の共通濃度への濃度変化を生じさせる照射量の光を照射する第１の照射部と、
前記描画面の各箇所に、前記画像入手部で入手された画像上の各点での画像濃度に応じた濃度変化を生じさせる照射量の光を、前記第１の照射部による照射と併せてあるいは個別に照射することで画像を描く第２の照射部とを構築することを特徴とする画像描画プログラム。
【請求項９】
光の照射を受けて、照射量に応じた濃度変化が色に生じる、その濃度変化で画像が描かれる描画面を有するメディアについて、画像が描かれた描画面上の各箇所における濃度を入手する濃度入手過程と、
前記描画面に新たに描かれる画像を入手する画像入手過程と、
前記描画面の各箇所に、前記濃度入手過程によって入手された各箇所の濃度から所定の共通濃度への濃度変化を生じさせる照射量の光を照射する第１の照射過程と、
前記描画面の各箇所に、前記画像入手過程で入手された画像上の各点での画像濃度に応じた濃度変化を生じさせる照射量の光を、前記第１の照射過程による照射と併せてあるいは個別に照射することで画像を描く第２の照射過程とを有することを特徴とする画像描画方法。
【発明の詳細な説明】
【技術分野】
【０００１】
本発明は、記録メディアのレーベル面に画像を描画する画像描画装置、画像描画プログラム、および画像描画方法に関する。
【背景技術】
【０００２】
近年、画像データや音声データなどといった各種データを記録する大容量な記録メディアとして、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ（Ｄｉｇｉｔａｌ  Ｖｅｒｓａｔｉｌｅ  Ｄｉｓｋ）等が普及している。このような記録メディアの多くは、データが記録されるデータ面と、そのデータ面とは反対側の面であって、音声データが表わす音楽の曲名や作曲者等を視覚的に確認するためのレーベル画像が描画されるレーベル面とを有している。
【０００３】
また、近年では、レーベル画像を単に記録内容の確認のためだけに利用するのではなく、レーベル画像を使って記録メディアに付加価値を与えることも考案されてきている。例えば、特許文献１には、データ面に商品カタログ等を表わすデータを記録しておき、レーベル面にセールスマンの氏名や顔画像などを印刷する技術について記載されている。この特許文献１に記載された技術によると、セールスマンにとっては、記録メディアを連絡先と詳しい商品の説明とが記録された電子名刺として利用することができ、セールスの効率を向上させることができる。また、顧客にとっては、商品カタログと名刺とを嵩張らずに一緒に保管することができ、整理の手間を省くことができる。
【０００４】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる（例えば、特許文献２参照）。しかし、これらの方法によると、シールやレーベル面にレーベル画像を描画するためのプリンタを用意する必要があり、コストが掛かってしまうという問題がある。
【０００５】
この点に関し、特許文献３には、光を使ってデータ面にデータを記録する記録メディアに対して、その光でレーベル面にレーベル画像を描画する方法について記載されている。特許文献３に記載された方法によると、レーベル画像を描画するための特別な装置や材料などを必要とせずに、手軽にレーベル画像を描画することができる。
【特許文献１】特開２００５−２４８８８２号公報
【特許文献２】特開２００２−２９８５４５号公報
【特許文献３】特開２００２−２０３３２１号公報
【発明の開示】
【発明が解決しようとする課題】
【０００６】
しかし、特許文献３に記載された技術では、基本的には、一旦、レーベル面に画像が描かれたら、その画像を書き換えることは想定されていない。通常、記録メディアは、データ面に記録されたデータが書き換えられることによって何度も再利用されることが多く、そのデータ面に記録されたデータの書き換えに伴って、レーベル面に描画されたレーベル画像も手軽に書き換えたいという要望が高まっている。
【０００７】
本発明は、上記事情に鑑み、記録メディアのレーベル面に画像を描画するとともに、描画した画像を書き換えることができる画像描画装置、画像描画プログラム、および画像描画方法を提供することを目的とする。
【課題を解決するための手段】
【０００８】
上記目的を達成する本発明の画像描画装置は、光の照射を受けて、照射量に応じた濃度変化が色に生じる、その濃度変化で画像が描かれる描画面を有するメディアについて、画像が描かれた描画面上の各箇所における濃度を入手する濃度入手部と、
描画面に新たに描かれる画像を入手する画像入手部と、
描画面の各箇所に、濃度入手部によって入手された各箇所の濃度から所定の共通濃度への濃度変化を生じさせる照射量の光を照射する第１の照射部と、
描画面の各箇所に、画像入手部で入手された画像上の各点での画像濃度に応じた濃度変化を生じさせる照射量の光を、第１の照射部による照射と併せてあるいは個別に照射することで画像を描く第２の照射部とを備えたことを特徴とする。
【０００９】
本発明の画像描画装置によると、第１の照射部から照射される光によって、描画面全体の濃度が共通濃度に変化されて、描画面上にすでに描かれている画像が消去されるとともに、第２の照射部から照射される光によって、描画面上に新たな画像が描かれる。例えば、メディアのデータ面にデータを記録するためのレーザ照射装置を第１の照射部や第２の照射部として使用することにより、レーベル面に画像を描画するための装置を新たに設けるコストなどを抑え、手軽にレーベル画像を描画することができ、さらに、描画した画像を書き換えることができる。
【００１０】
また、本発明の画像描画装置において、上記濃度入手部は、描画面上の各箇所における濃度を入手するにあたり、各箇所について個別に濃度を表した個別データを入手するものであってもよく、上記濃度入手部は、描画面上の各箇所における濃度を入手するにあたり、複数箇所の濃度をまとめて表した統合データを入手するものであってもよい。
【００１１】
描画面上の各箇所について個別に濃度を表した個別データを入手することによって、描画面上を精度良く共通濃度に変化させることができ、すでに描画面上に描かれている画像を確実に消去することができる。また、個別データに替えて、複数箇所の濃度をまとめて表わした統合データを入手することによって、データサイズを軽減することができる。
【００１２】
また、本発明にいう濃度入手部は、描画面上に描かれた画像を読み取って、描画面上の各箇所における濃度を入手するものであってもよいが、本発明の画像描画装置において、
「上記第２の照射部により画像が描画された描画面上の各箇所における濃度を所定の保存場所に保存する濃度保存部を備え、
上記濃度入手部は、保存場所から濃度を取得するものである」
という形態が好ましい。
【００１３】
描画面上の各箇所における濃度を保存しておくことによって、逐一、描画面上に描かれた画像を読み取る手間を省くことができ、高速かつ確実に描画面上の画像を消去することができる。
【００１４】
また、本発明にいう濃度保存部は、画像描画装置を構成するコンピュータのハードディスクなどに濃度を保存するものであってもよいが、本発明の画像描画装置において、上記濃度保存部は、メディアに濃度を保存するものであることが好適である。
【００１５】
通常、１人のユーザが複数のメディアを利用していることが一般的であり、職場などでは、様々なユーザが所有している多数のメディアが混在して保管されている場面も多い。本発明の好適な画像描画装置によると、複数のメディアが混在している場合であっても、各メディアの描画面上の各箇所における濃度を確実に取得することができる。
【００１６】
また、本発明の画像描画装置において、上記濃度保存部は、濃度を圧縮データで保存するものであることが好ましい。
【００１７】
濃度が圧縮データで保存されることによって、データサイズを抑えることができ、保存場所を有効に利用することができる。
【００１８】
また、本発明の画像描画装置において、上記第２の照射部は、描画面において表現可能な濃度変化が複数段階に区分された１段階分の濃度変化内で１回分の画像描画を実行するものであることが好適である。
【００１９】
本発明の好適な画像描画装置によると、描画面への描画回数を確実に保証することができる。
【００２０】
また、上記目的を達成する本発明の画像描画プログラムは、コンピュータ内で実行され、コンピュータ上に、光の照射を受けて、照射量に応じた濃度変化が色に生じる、その濃度変化で画像が描かれる描画面を有するメディアについて、画像が描かれた描画面上の各箇所における濃度を入手する濃度入手部と、
描画面に新たに描かれる画像を入手する画像入手部と、
描画面の各箇所に、濃度入手部によって入手された各箇所の濃度から所定の共通濃度への濃度変化を生じさせる照射量の光を照射する第１の照射部と、
描画面の各箇所に、画像入手部で入手された画像上の各点での画像濃度に応じた濃度変化を生じさせる照射量の光を、第１の照射部による照射と併せてあるいは個別に照射することで画像を描く第２の照射部とを構築することを特徴とする。
【００２１】
尚、画像描画プログラムについては、ここではその基本形態のみを示すのにとどめるが、これは単に重複を避けるためであり、本発明にいう画像描画プログラムには、上記の基本形態のみではなく、前述した画像描画装置の各形態に対応する各種の形態が含まれる。
【００２２】
さらに、本発明の画像描画プログラムがコンピュータシステム上に構築する濃度入手部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【００２３】
また、上記目的を達成する本発明の画像描画方法は、光の照射を受けて、照射量に応じた濃度変化が色に生じる、その濃度変化で画像が描かれる描画面を有するメディアについて、画像が描かれた描画面上の各箇所における濃度を入手する濃度入手過程と、
描画面に新たに描かれる画像を入手する画像入手過程と、
描画面の各箇所に、濃度入手過程によって入手された各箇所の濃度から所定の共通濃度への濃度変化を生じさせる照射量の光を照射する第１の照射過程と、
描画面の各箇所に、画像入手過程で入手された画像上の各点での画像濃度に応じた濃度変化を生じさせる照射量の光を、第１の照射過程による照射と併せてあるいは個別に照射することで画像を描く第２の照射過程とを有することを特徴とする。
【００２４】
本発明の画像描画方法によると、記録メディアのレーベル面に画像を描画するとともに、描画した画像を書き換えることができる。
【００２５】
尚、画像描画方法についても、ここではその基本形態のみを示すのにとどめるが、これは単に重複を避けるためであり、本発明にいう画像描画方法には、上記の基本形態のみではなく、前述した画像描画装置の各形態に対応する各種の形態が含まれる。
【発明の効果】
【００２６】
本発明によれば、記録メディアのレーベル面に画像を描画するとともに、描画した画像を書き換えることができる。
【発明を実施するための最良の形態】
【００２７】
以下図面を参照して本発明の実施の形態を説明する。
【００２８】
図１は、本発明の画像描画装置の一実施形態が適用されたコンピュータシステム１０の外観斜視図である。
【００２９】
この図１に示すコンピュータシステム１０は、パーソナルコンピュータ１００と、そのパーソナルコンピュータ１００に接続されたＤＶＤドライブ２００とで構成されている。
【００３０】
パーソナルコンピュータ１００は、後述するように本発明の画像描画装置の一実施形態として動作するものであり、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００３１】
ＤＶＤドライブ２００は、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。このＤＶＤドライブ２００では、データの記録の際には、ＤＶＤ３００は、データ面が図中で下向きにされて装填され、レーベル画像の描画の際には、逆に、レーベル面が下向きにされて装填される。ここで、上記のレーベル描画型のＤＶＤ３００が、本発明にいうメディアの一例に相当する。
【００３２】
以下、このＤＶＤドライブ２００の内部構成について説明する。
【００３３】
図２は、図１に示すＤＶＤドライブ２００の内部構成を示すハードウェアブロック図である。
【００３４】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、および制御回路２１７を備えている。このＤＶＤドライブ２００は、図１にも示すパーソナルコンピュータ１００に、インタフェース回路２０９を介して接続されている。
【００３５】
まず、このＤＶＤドライブ２００における、ＤＶＤ３００へのデータの記録について説明する。
【００３６】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００３７】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１７からサーボ回路２０６に伝えられる。さらに、スピンドルモータ２０２の回転速度が回転検出器２０３によって検出され、その回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００３８】
光ピックアップ２０１は、赤外域の波長のレーザ光を発する第１のレーザダイオード２０１ａ、赤色域の波長のレーザ光を発する第２のレーザダイオード２０１ｂ、受光素子、および集光レンズ等からなる光学系を備えている。本実施形態では、第１のレーザダイオード２０１ａが発するレーザ光は、データの記録および再生、レーベル画像の描画、および光学系の微調整に使われ、第２のレーザダイオード２０１ｂが発するレーザ光は、レーベル画像の読取りに使われる。このような動作に応じたレーザダイオードの切換えは、ＡＬＰＣ回路２１５を介した制御回路２１７からの光ピックアップ２０１に対する制御によって行われる。
【００３９】
上記のように制御されたされた回転速度で回転するＤＶＤ３００のデータ面に対して、第１のレーザダイオード２０１ａから発し集光レンズで集光されたレーザ光が照射されることで、そのデータ面にデータが記録される。このとき、記録に最適なレーザ光強度が制御回路２１７からＡＬＰＣ回路２１５に伝えられる。また、光ピックアップ２０１は、各レーザダイオードが発するレーザ光の強度をモニタするセンサを有している。データ記録時には、第１のレーザダイオード２０１ａが発するレーザ光の強度が、このセンサによってモニタされＡＬＰＣ回路２１５に伝えられる。ＡＬＰＣ回路２１５は、モニタされた強度と上記の記録に最適なレーザ光強度とを比較し、両者を一致させるための制御信号をレーザドライバ２１６に送る。また、光ピックアップ２０１は、集光されたレーザ光のデータ面上での微小な位置決めを行なうサーボ機構や、集光レンズに対するフォーカス制御を行うフォーカス機構を有している。本実施形態では、データ記録のためのレーザ光がデータ面で反射されたときのその反射光を利用して、これらの機構の動作が、制御回路２１７からの指示に従ったサーボ回路２０６によって制御される。これにより、正確に集光されたレーザ光が、ＤＶＤ３００のデータ面上の目標位置に正確に照射されることとなる。
【００４０】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００４１】
レーザドライバ２１６は、光ピックアップ２０１の第１のレーザダイオード２０１ａを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００４２】
次に、このＤＶＤドライブ２００における、ＤＶＤ３００に記録されたデータの再生について説明する。
【００４３】
このデータの再生の際にも、ＤＶＤ３００は、データ面が光ピックアップ２０１に対向するように装填され、スピンドルモータ２０２によって最適な回転速度で回転される。
【００４４】
また、上述したように、このデータの再生にも、光ピックアップ２０１における第１のレーザダイオード２０１ａを発する赤外域のレーザ光が使われる。
【００４５】
データの再生時には、この第１のレーザダイオード２０１ａが発しＤＶＤ３００のデータ面で反射されたレーザ光が、光ピックアップ２０１の受光素子で受光される。このとき、ＤＶＤ３００のデータ面で反射されるレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１７に送る。制御回路２１７は、その再生されたデータをインタフェース回路２０９を介してパーソナルコンピュータ１００に送る。また、このようなデータの再生時にも、レーザ光の強度をモニタするセンサによるモニタ結果に応じてレーザ光の強度がデータの再生に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００４６】
次に、このＤＶＤドライブ２００における、ＤＶＤ３００へのレーベル画像の描画について説明する。
【００４７】
上述したように、レーベル画像の描画の際にも、光ピックアップ２０１における第１のレーザダイオード２０１ａが発する赤外域のレーザ光が使われる。また、レーベル画像の描画が行われる際には、ＤＶＤ３００が、レーベル面が光ピックアップ２０１に対向するように、このレーベル面を下に向けて装填される。
【００４８】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１の第１のレーザダイオード２０１ａを、この階調画像データに従って駆動する駆動信号を生成する。
【００４９】
ここで、本実施形態で使用されるＤＶＤ３００のレーベル面は赤外域の光が照射されると、その光に反応して照射された部分が薄まる青色のレーベル色を有している。そして、このレーベル色の薄まりは、光の照射回数が多いほど強まる。本実施形態では、階調画像データが１〜５０までの階調値で表現され、その階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められて、最大で５０階調の濃度を有するレーベル画像が描画されることとなる。
【００５０】
また、このようなレーベル画像の描画時にも、レーザ光の強度をモニタするセンサによるモニタ結果に応じてレーザ光の強度が描画に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００５１】
ＤＶＤドライブ２００は、以上に説明した構成となっている。
【００５２】
次に、図１に示すコンピュータシステム１０を構成するパーソナルコンピュータ１００のハードウェア構成について説明する。
【００５３】
図３は、図１および図２に示すパーソナルコンピュータ１００のハードウェア構成図である。
【００５４】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、およびマウス１４０は、バス１１７を介して相互に接続されている。
【００５５】
ここで、ＣＤ−ＲＯＭ４２０には、本発明の画像描画プログラムの一実施形態が適用された画像描画プログラムが記憶されている。そのＣＤ−ＲＯＭ４２０はＣＤ−ＲＯＭドライブ１１５に装填され、そのＣＤ−ＲＯＭ４２０に記憶された画像描画プログラムがこのパーソナルコンピュータ１００にアップロードされてハードディスク装置１１３に記憶される。そして、この画像描画プログラムが起動されて実行されることにより、パーソナルコンピュータ１００内に、本発明の画像描画装置の一実施形態が適用された画像描画装置６００（図５参照）が構築される。
【００５６】
次に、このパーソナルコンピュータ１００内で実行される画像描画プログラムについて説明する。
【００５７】
図４は、画像描画プログラム５００が記憶されたＣＤ−ＲＯＭ４２０を示す概念図である。
【００５８】
画像描画プログラム５００は、指定部５１０、編集部５２０、表示部５３０、濃度決定部５４０、描画部５５０、制御部５６０、およびアクセス部５７０で構成されている。画像描画プログラム５００の各部の詳細については、画像描画装置６００の各部の作用と一緒に説明する。
【００５９】
尚、図４では、画像描画プログラム５００を記憶する記憶媒体としてＣＤ−ＲＯＭ４２０が例示されているが、本発明の画像描画プログラムを記憶する記憶媒体はＣＤ−ＲＯＭに限られるものではなく、それ以外の光ディスク、ＭＯ、ＦＤ、磁気テープなどの記憶媒体であってもよい。また、本発明の画像描画プログラムは、記憶媒体を介さずに、通信網を介して直接にコンピュータに供給されるものであってもよい。
【００６０】
図５は、画像描画プログラム５００を図１に示すパーソナルコンピュータ１００にインストールしたときの、パーソナルコンピュータ１００内に構築される画像描画装置６００の機能ブロック図である。
【００６１】
図５に示す画像描画装置６００は、指定部６１０と、編集部６２０と、表示部６３０と、濃度決定部６４０と、描画部６５０と、制御部６６０と、アクセス部６７０とを備えている。図４に示す画像描画プログラム５００を図１に示すパーソナルコンピュータ１００にインストールすると、画像描画プログラム５００の指定部５１０は図５の指定部６１０を構築し、以下同様に、編集部５２０は編集部６２０を構築し、表示部５３０は表示部６３０を構築し、濃度決定部５４０は濃度決定部６４０を構築し、描画部５５０は描画部６５０を構築し、制御部５６０は制御部６６０を構築し、アクセス部５７０はアクセス部６７０を構築する。
【００６２】
図５の各要素は、コンピュータのハードウェアとそのコンピュータで実行されるＯＳやアプリケーションプログラムとの組合せで構成されているのに対し、図４に示す画像描画プログラム５００の各要素はそれらのうちのアプリケーションプログラムのみにより構成されている点が異なる。
【００６３】
以下、図５に示す画像描画装置６００の各要素を説明することによって、図４に示す画像描画用プログラム５００の各要素も併せて説明する。
【００６４】
本実施形態においては、図１にも示すＤＶＤ３００のレーベル面３１０には、レーベル画像が描画される描画領域３１１と、描画領域３１１に描かれているレーベル画像に関する情報が記録される記録領域３１２とが備えられている。レーベル面３１０は、本発明にいう描画面の一例にあたり、記録領域３１２は、本発明にいう所定の保存場所の一例に相当する。
【００６５】
表１は、記録領域３１２に記録された情報の一例を示す表である。
【００６６】
【表１】
2007317301.tif 000003
【００６７】
表１に示すように、記録領域３１２には、描画領域３１１上の各位置Ｐの極座標（レーベル面３１０の中心Ｏからの距離ｒ，基準線Ｌから見た仰角θ）と、その位置Ｐの濃度とが対応付けられた濃度情報が予め記録されている。本実施形態においては、レーザ光の照射光量に応じてレーベル面３１０の濃度が薄められることにより、レベル５０〜レベル１までの全５０段階の濃度を表現可能であり、１回目は「レベル５０〜レベル４１」までの濃度範囲内で画像が表現され、２回目は「レベル４０〜レベル３１」までの濃度範囲内で画像が表現され、３回目は「レベル３０〜レベル２１」までの濃度範囲内で画像が表現され、４回目は「レベル２０〜レベル１１」までの濃度範囲内で画像が表現され、５回目は「レベル１０〜レベル１」までの濃度範囲内で画像が表現されることによって、レーベル画像を最大で５回まで書き換えることができる。濃度情報は、本発明にいう個別データの一例にあたる。記録領域３１２には、このような濃度情報が圧縮された状態で記録されており、さらに、描画領域３１１にレーベル画像が描画された描画回数も記録されている。尚、一度もレーベル画像が描画されていない初期状態においては、描画領域３１１上の全ての位置Ｐにおける濃度が最大濃度である「レベル５０」に設定されており、描画回数が「０」に設定されている。
【００６８】
図６は、ＤＶＤ３００のレーベル面３１０にレーベル画像を描画する一連の処理を示すフローチャート図である。
【００６９】
以下では、この図６に従って、レーベル面３１０にレーベル画像を描画するための各種要素と、それら各種要素による処理の流れについて説明する。
【００７０】
パーソナルコンピュータ１００には、レーベル面３１０にレーベル画像を描画する指示を入力するためのアイコンが予め用意されている。オペレータが、マウス１４０などを使ってアイコンを選択すると、図５に示す指定部６１０から制御部６６０に、レーベル画像の描画要求が伝えられる。
【００７１】
制御部６６０は、アクセス部６７０に、レーベル面３１０の記録領域３１２にアクセスする指示を伝える。アクセス部６７０は、ＤＶＤドライブ２００にアクセス指示を送ることにより、記録領域３１２に記録された描画回数を読み取る（図６のステップＳ１）。読み取られた描画回数は、制御部６６０に伝えられる。
【００７２】
制御部６６０は、伝えられた描画回数が最大描画回数（この例では、「５」）に達していない場合には（図６のステップＳ２：Ｎｏ）、アクセス部６７０に、記録領域３１２にアクセスする指示を伝える。初期状態においては、描画回数が「０」であり、最大描画回数「５」には達していないため、制御部６６０からアクセス部６７０にアクセス指示が伝えられる。アクセス部６７０は、ＤＶＤドライブ２００に再びアクセス指示を送ることによって、記録領域３１２に記録された濃度情報を読み取る（図６のステップＳ３）。アクセス部６７０は、本発明にいう濃度入手部の一例に相当する。アクセス部６７０によって読み取られた濃度情報は、制御部６６０において解凍され、描画回数とともに濃度決定部６４０に伝えられる。
【００７３】
また、制御部６６０は、表示部６３０に、アクセス部６７０によって読み取られた描画回数を伝えるとともに、レーベル画像を編集するための編集画面の表示を指示する。表示部６３０は、表示画面１２１に編集画面を表示する。
【００７４】
図７は、レーベル画像を編集するための編集画面の一例を示す図である。
【００７５】
図７に示すように、編集画面７００には、編集されたレーベル画像のイメージを表示するためのイメージ表示部７７０、ポインタ７０１を使って描画位置Ａを選択するための領域選択ボタン７１０、選択された描画位置Ａに挿入する画像を選択するための画像ボタン７２０、選択された描画位置Ａに挿入する文字を編集するためのテキストボタン７３０、最大描画回数と今回の描画回数（記録領域３１２に記録された描画回数＋１回）とが表示された回数表示部７４０、編集内容を決定するための決定ボタン７５０、および編集内容をキャンセルするためのキャンセルボタン７６０が備えられている。
【００７６】
オペレータがマウス１４０やキーボード１３０を使って文字や画像を編集すると、編集内容が図５に示す編集部６２０に伝えられる。編集部６２０に伝えられた編集内容は、表示部６３０に伝えられて、イメージ表示部７７０に表示されたレーベル画像に反映される。オペレータが決定ボタン７５０を選択すると、確定された編集内容が編集部６２０に伝えられる。
【００７７】
上述したように、レーベル面３１０には、５０段階の濃度を表現することができ、１回につき１０段階の濃度範囲内でレーベル画像を描画することによって、レーベル画像を最大で５回まで書き換えることができる。編集部６２０は、文字が編集された場合には、その文字の濃度を１０段階のうち最も低い濃度に決定し、画像が編集された場合には、その画像の濃度を１０段階の濃度階調で表現しなおすことによって、レーベル画像が描画される位置の極座標（距離ｒ、仰角θ）と、各位置の濃度とで構成された描画情報を生成する（図６のステップＳ４）。生成された描画情報は濃度決定部６４０に伝えられる。編集部６２０は、本発明にいう画像入手部の一例に相当する。
【００７８】
濃度決定部６４０は、アクセス部６７０によって取得された濃度情報および描画回数と、描画情報取得部６３０から伝えられた描画情報とに基づいて、描画領域３１１上の各位置における濃度を決定する（図６のステップＳ５）。
【００７９】
本実施形態では、レーザ光の照射回数によって光の照射量が調整されて画像の濃度が調整されるため、濃度決定部６４０では、まず、レーベル面３１０上の各位置に対して、現在の濃度と、今回の描画処理における濃度範囲の上限値（今回最大濃度）との濃度差に相当する照射回数が算出される。この照射回数は、レーベル面３１０全体を今回最大濃度に均一化するために各位置に必要な照射回数（均一化回数）である。例えば、初期状態においては、レーベル面３１０上の各位置の濃度が均一に「５０」であり、１回目の描画処理における今回最大濃度も「５０」であるため、それらの濃度差が全ての位置で「０」となり、レーベル面３１０上の全位置に対して均一化回数が「０」となる。
【００８０】
続いて、これから描かれるレーベル画像の描画位置と濃度とを表わす描画情報に基づいて、その描画位置にレーベル画像を描画するためのレーザ光の照射回数（画像回数）が決定される。
【００８１】
さらに、レーベル面３１０上の各位置それぞれの均一化回数と画像回数とが加算されることにより、各位置に対するレーザ光の照射回数が算出され、算出された照射回数がその位置の濃度として決定される。レーベル面３１０上の各位置の濃度が個別に表現された複数の個別データは、描画部６５０に伝えられる。
【００８２】
描画部６５０は、伝えられた複数の個別データをＤＶＤドライブ２００に伝えることにより、レーベル面３１０上の各位置に各個別データが表わす照射回数だけレーザ光を照射させて、レーベル画像を描画する（図６のステップＳ６）。濃度決定部６４０と描画部６５０とを合わせたものは、本発明にいう第１の照射部の一例として動作するとともに、本発明にいう第２の照射部の一例としても動作する。
【００８３】
図８は、レーベル面３１０の状態を示す模式図である。
【００８４】
レーベル画像が描画されていない初期状態においては、レーベル面３１０上は均一な濃度を有している（図８のステップＴ１）。
【００８５】
最初にレーベル画像が描画される際には、そのレーベル画像が描画される位置にのみ、濃度に応じた回数のレーザ光が照射される。その結果、レーザ光が照射された位置が照射回数に応じた濃度に薄められて、レーベル画像が形成される（図８のステップＴ２）。
【００８６】
２回目以降にレーベル画像が描画される際には、レーベル面３１０上の各位置に現在の濃度に応じた回数のレーザ光が照射されることにより、レーベル面３１０全体の濃度が均一に薄められてレーベル画像が消去される（図８のステップＴ３）。さらに、新たなレーベル画像が描画される位置に、そのレーベル画像の濃度に応じた回数のレーザ光が照射されることにより、新たなレーベル画像が形成される（図８のステップＴ４）。
【００８７】
レーベル面３１０にレーベル画像が描画されると、濃度決定部６４０から制御部６６０にも、レーベル面３１０上の各位置の濃度が伝えられる。制御部６６０は、ステップＳ３において取得された濃度情報が表わす、新たなレーベル画像が描画される前のレーベル面３１０上の各位置の濃度から、濃度決定部６４０から伝えられた各位置の濃度を減算することによって、現在のレーベル面３１０上の各位置の濃度を表わす新たな濃度情報を生成する。また、ステップＳ１で取得された描画回数を更新し、新たな描画回数と濃度情報とをアクセス部６７０に伝える。
【００８８】
アクセス部６７０は、ＤＶＤ２００にレーベル面３１０の記録領域３１２にアクセスする指示を与えることにより、記録領域３１２に記録された濃度情報を制御部６６０から伝えられた新たな濃度情報に書き換えるとともに、描画回数を更新する（図６のステップＳ７）。アクセス部６７０は、本発明にいう濃度保存部の一例にも相当する。
【００８９】
以上のようにして、レーベル面３１０にレーベル画像が描画される。
【００９０】
尚、ステップＳ２において、記録領域３１２に記録された描画回数が最大回数に達している場合には（図６のステップＳ２：Ｙｅｓ）、制御部６６０から表示部６３０にアラーム表示の指示が伝えられ、表示画面１２１上に「最大描画回数に達しました」というエラーメッセージが表示される。
【００９１】
このように、本実施形態の画像描画装置６００によると、レーベル面３１０に描画されたレーベル画像を確実に複数回書き換えることができる。
【００９２】
以上で、本発明の第１実施形態の説明を終了し、本発明の第２実施形態について説明する。本発明の第１実施形態と第２実施形態とでは、ほぼ同様の構成を有しているため、第１実施形態と同じ要素については同じ符号を付して説明を省略し、第１実施形態との相違点に注目して説明する。
【００９３】
本実施形態の画像描画装置は、レーベル面３１０に文字を描画するものである。
【００９４】
図９は、本発明の画像描画プログラムの第２実施形態である画像描画プログラム５００´が記憶されたＣＤ−ＲＯＭ４２０´を示す概念図である。
【００９５】
画像描画プログラム５００´は、図４に示す第１実施形態の画像描画プログラム５００とほぼ同様の構成を有しているが、第１実施形態の濃度決定部５４０が備えられておらず、第１実施形態の描画部５５０に替えて別の描画部５５０´が備えられており、消去部５８０が新たに備えられている。
【００９６】
図１０は、本発明の画像描画装置の第２実施形態である画像描画装置６００´の機能ブロック図である。
【００９７】
図１０に示す画像描画装置６００´は、図５に示す第１実施形態の画像描画装置６００とほぼ同様の構成を有しているが、第１実施形態の濃度決定部６４０が備えられておらず、第１実施形態の描画部６５０に替えて別の描画部６５０´が備えられており、消去部６８０が新たに備えられている。
【００９８】
図９に示す画像描画プログラム５００´を図１に示すパーソナルコンピュータ１００にインストールすると、画像描画プログラム５００´の指定部５１０は図１０の指定部６１０を構築し、以下同様に、編集部５２０は編集部６２０を構築し、表示部５３０は表示部６３０を構築し、描画情報取得部５４０は描画情報取得部６４０を構築し、描画部５５０´は描画部６５０´を構築し、制御部５６０は制御部６６０を構築し、アクセス部５７０はアクセス部６７０を構築し、消去部５８０は消去部６８０を構築する。消去部６８０は、本発明にいう第１の照射部の一例にあたり、描画部６５０´は、本発明にいう第２の照射部の一例に相当する。
【００９９】
本実施形態においても、ＤＶＤ３００のレーベル面３１０には、描画領域３１１と記録領域３１２とが備えられているが、記録領域３１２に記録されている濃度情報のデータ形式が表１に示す第１実施形態の濃度情報とは異なる。
【０１００】
表２は、記録領域３１２に記録された濃度情報の一例を示す表である。
【０１０１】
【表２】
2007317301.tif 000004
【０１０２】
表２に示すように、本実施形態では、レーベル面３１０の描画領域３１１上にすでに描かれている文字の始点位置を表わす極座標（レーベル面３１０の中心Ｏからの距離ｒ，基準線Ｌから見た仰角θ）と、描画する文字、文字のフォント、サイズ、および濃度が対応付けられた濃度情報が記録されている。この濃度情報は、本発明にいう統合データの一例にあたる。このように、レーベル面３１０上の複数の位置の濃度が統合的に表現されることにより、データサイズを抑えることができる。
【０１０３】
本実施形態の画像描画装置６００´では、レーベル画像の描画に当たって、まずは、アクセス部６７０によって記録領域３１２に記録された濃度情報が読み取られ、読み取られた濃度情報が制御部６６０を介して消去部６８０に伝えられる。
【０１０４】
消去部６８０では、濃度情報に基づいて、レーベル面３１０上の、すでに文字が描かれている描画位置を除く非描画位置にレーザ光を照射し、非描画位置の濃度を文字の濃度と同じ濃度に調整する。その結果、レーベル面３１０全体が均一な濃度に調整され、レーベル面３１０に描かれていた文字が消去される。
【０１０５】
オペレータによって新たに描かれる文字が編集されると、編集部６２０において、その文字の始点位置を表わす極座標（レーベル面３１０の中心Ｏからの距離ｒ，基準線Ｌから見た仰角θ）と、描画する文字、文字のフォント、サイズ、および濃度が対応付けられた描画情報が生成され、生成された描画情報が描画情報取得部６４０を介して描画部６５０´に伝えられる。
【０１０６】
描画部６５０´は、描画情報に基づいて、レーベル面３１０上の、新たに文字が描画される位置にのみレーザ光を照射し、その位置の濃度を指定された濃度に調整することによって文字を描く。
【０１０７】
このように、レーベル面上に描かれたレーベル画像を一旦消去した後で、新たなレーベル画像を描画することによって、レーベル面上の各位置における濃度の制御を簡素化することができる。
【０１０８】
ここで、上記では、レーベル面上の各位置における濃度を、レーベル面上の記録領域に記録する例について説明したが、本発明にいう濃度保存部は、例えば、パーソナルコンピュータのハードディスクなどに濃度を保存するものであってもよい。
【０１０９】
また、上記では、ユーザによって編集された画像をレーベル画像として取得する例について説明したが、本発明にいう画像入手部は、ＦＤなどに記録された画像を取得するものであってもよく、ネットワークなどを介して画像を取得するものであってもよい。
【図面の簡単な説明】
【０１１０】
【図１】本発明のアクセス管理装置およびデータ記録装置それぞれの一実施形態が適用されたコンピュータシステムの外観斜視図である。
【図２】図１に示すＤＶＤドライブの内部構成を示すハードウェアブロック図である。
【図３】図１および図２に示すパーソナルコンピュータのハードウェア構成図である。
【図４】画像描画プログラムが記憶されたＣＤ−ＲＯＭを示す概念図である。
【図５】パーソナルコンピュータ内に構築される画像描画装置の機能ブロック図である。
【図６】ＤＶＤのレーベル面にレーベル画像を描画する一連の処理を示すフローチャート図である。
【図７】レーベル画像を編集するための編集画面の一例を示す図である。
【図８】レーベル面の状態を示す模式図である。
【図９】本発明の画像描画プログラムの第２実施形態が記憶されたＣＤ−ＲＯＭを示す概念図である。
【図１０】本発明の画像描画装置の第２実施形態の機能ブロック図である。
【符号の説明】
【０１１１】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０１ａ    第１のレーザダイオード
２０１ｂ    第２のレーザダイオード
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御（ＡＬＰＣ）回路
２１６    レーザドライバ
２１８    制御回路
３００    ＤＶＤ
６００    画像描画装置
６１０    指定部
６２０    編集部
６３０    表示部
６４０    濃度決定部
６５０    描画部
６６０    制御部
６７０    アクセス部
６８０    消去部
【図１】
2007317301.tif 000005
【図２】
2007317301.tif 000006
【図３】
2007317301.tif 000007
【図４】
2007317301.tif 000008
【図５】
2007317301.tif 000009
【図６】
2007317301.tif 000010
【図７】
2007317301.tif 000011
【図８】
2007317301.tif 000012
【図９】
2007317301.tif 000013
【図１０】
2007317301.tif 000014